(57)【要約】【課題】小型化の要請にも対応しつつ、ディスクの回転に伴う振動を効率的に抑制できる構造を備えたディスク装置を提供する。【解決手段】ディスクを回転する回転駆動機構と、前記ディスクから情報を再生及び／又は前記ディスクに情報を記録するために用いる光学装置と、前記光学装置を移動させる移動機構とを少なくとも含み、これらをシャーシで支持しかつ該シャーシを筐体に固定しているディスク装置であって、前記シャーシは、前記回転駆動機構を間にして、前後に前記筐体に固定するための第１及び第２の固定部を有し、第１固定部は前記ディスクより下方に配置し、第２固定部は前記ディスクよりも高く配置したされている。【選択図】        図４
2004185699.tif 000002
【特許請求の範囲】
【請求項１】
ディスクを回転する回転駆動機構と、前記ディスクから情報を再生及び／又は前記ディスクに情報を記録するために用いる光学装置と、前記光学装置を移動させる移動機構とを少なくとも含み、これらをシャーシで支持しかつ該シャーシを筐体に固定しているディスク装置であって、
前記シャーシは、前記回転駆動機構を間にして、前後に前記筐体に固定するための第１及び第２の固定部を有し、第１固定部は前記ディスクより下方に配置し、第２固定部は前記ディスクよりも高く配置した、ことを特徴とするディスク装置。
【請求項２】
ディスクを回転する回転駆動機構と、前記ディスクから情報を再生及び／又は前記ディスクに情報を記録するために用いる光学装置と、前記光学装置を移動させる移動機構とを少なくとも含み、これらをシャーシで支持して該シャーシを筐体に固定すると共に、前記シャーシ上方をトレイでカバーしているディスク装置であって、
前記シャーシは、前記回転駆動機構を間にして、前後に前記筐体に固定するための第１及び第２の固定部を有し、第１固定部は前記ディスクより下方に配置し、第２固定部は前記カバーの一部に切欠部を設けて前記ディスクよりも高く配置した、ことを特徴とするディスク装置。
【請求項３】
請求項１又は２に記載のディスク装置において、
前記固定部は、シャーシの端部の一部を上方に延在させた腕部の先端にほぼ直角に形成した平板状に形成され、前記腕部の長さにより高さ位置が規定されている、ことを特徴とするディスク装置。
【請求項４】
請求項１から３のいずれかに記載のディスク装置において、前記筐体上にセットされるトップケースを更に備え、該トップケースと前記固定部を前記筐体に固定する取付け部材とに設けた係合手段を介して、前記トップケースを前記固定部上に固定したことを特徴とするディスク装置。
【請求項５】
請求項４に記載のディスク装置において、
前記係合手段は、前記トップケースと前記取付け部材の頂部との相互に設けた凹凸部であることを特徴とするディスク装置。
【請求項６】
請求項５に記載のディスク装置において、
前記凸部の先端側に切欠を設けたことを特徴とするディスク装置。
【請求項７】
請求項１から６のいずれかに記載のディスク装置において、前記固定部が防振用のダンパを介して前記筐体に固定されていることを特徴とするディスク装置。
【発明の詳細な説明】
【０００１】
【発明の属する技術分野】
本発明は円板状の記録媒体（以下、単にディスクと称する）を回転させながらここに書き込まれている情報を再生し、或いは任意の情報を書き込んで記録する為のディスク装置に関する。特に、ディスクが回転した時の振動を効率的に抑制できるディスク装置に関する。
【０００２】
【従来の技術】
ディスクから情報を再生し、ディスクに対して記録を行うディスク装置としては、ＣＤ−ＲＯＭ、ＣＤ−Ｒ、ＣＤ−ＲＷ、ＤＶＤ等の装置がよく知られている。これらディスク装置は、例えば筐体（アンダーケースとも称される）、この筐体内でターンテーブルを含む回転駆動機構や光ピックアップ装置等を支持するシャーシ、このシャーシ上部を覆うトレイ及びトップケース等を備えている。
【０００３】
図１は、このような従来のディスク装置について示した図である。（Ａ）はトップケース及びトレイを除いてディスク装置の筐体内を示した図である。また、（Ｂ）は同装置の側部構成を示した図である。なお、（Ｂ）ではシャーシ上部を覆うトレイも示している。
【０００４】
図１（Ａ）で、ディスク装置１００は、ディスクを保持しながら所定方向に回転させるターンテーブル１１１を含んだ回転駆動機構１１０を備えている。また、ディスク装置１００は、ディスク１から情報を再生し、或いは、情報を記録する為の光学装置として、レンズ１２１を含んだ光ピックアップ装置１２０を備えている。この光ピックアップ装置１２０はモータ１３１を駆動源とする移動機構１３０によりディスク１の所定位置に移動される。図１（Ａ）では、移動機構１３０により移動された状態の光ピックアップ装置１２０を両端位置で例示している。すなわち、この光ピックアップ装置１２０は範囲Ｗの間を移動され、ディスク１から情報を再生し、或いは、情報を記録するようになっている。
【０００５】
そして、上記のディスク１を回転させる回転駆動機構１１０、光ピックアップ装置１２０及びこれを移動する移動機構１３０は所定の剛性を備えたシャーシ１０５により支持されている。このシャーシ１０５には筐体１１６に固定するための固定部１０６−１〜１０６−４が形成されている。この固定部１０６−１〜１０６−４は防振用のダンパ１１５−１〜１１５−４を介して筐体１１６に固定されている。
【０００６】
また、図１（Ｂ）で示すようにシャーシ１０５上にはトレイ１１７が載置される。このトレイ１１７は光ピックアップ装置１２０が移動する領域を除いて、上面をカバーするように配置される。よって、上記固定部１０６−１〜１０６−４はトレイ１１７の下部に隠れた状態となる。
【０００７】
上記従来のディスク装置１００において、ディスク１に偏重心や歪が有ると、回転の不釣合いからシャーシ１０５を励振してしまう。特にディスク面に対して垂直な方向でのシャーシ振動、すなわち上下動、及び光ピックアップの移動方向でのシャーシの振動、すなわち前後動が大きくなると、再生、記録のエラーが発生し易くなってしまう。
【０００８】
そこで、従来、上記シャーシ１０５上に錘を載置して、その重量を増加させることでシャーシ１０５の振動を抑制するようにしている。図２（Ａ）は、従来においてシャーシ１０５に載置されていた錘を例示した全体斜視図である。図２（Ａ）に示すように、錘１４０は大略、環状でありシャーシ１０５の外周部分に乗る大きさに形成されている。錘１４０の材質はシャーシ１０５と同様の部材でよく、例えば鋼材である。錘１４０はシャーシ１０５の形状に沿う様に折り曲げ加工され、またシャーシ１０５はネジ止めできるようにネジ穴１４１−１〜１４１−４を備えている。
【０００９】
図２（Ｂ）は、ディスク装置１００に錘１４０をセットする様子を側面から示した図である。錘１４０は、回転駆動機構１１０等を支持しているシャーシ１０５の全外周に乗るような大きさに形成されており、シャーシ１０５にネジ止め固定される。このようにシャーシ１０５の全外周に錘１４０を配設するようにしているのは、シャーシ１０５の重量を増すことで防振効果を得ようとする為である。
【００１０】
しかしながら、近年の装置コンパクト化への要請は厳しく、より小型化できるように各部配置を決定する必要がある。そのために、図１にも示されるようにディスク１を回転させる回転駆動機構１１０は、一般にシャーシ１０５の端部側に設定される場合が多い。
【００１１】
上記のようにシャーシ１０５の重量を増加させることにより、一定の防振効果を期待できる。しかし、ディスク１の回転により、ひとたび振動が生じてしまうと、シャーシ１０５の重量を増していることが逆効果として作用する。すなわち、振動を開始したときのエネルギーは錘１４０が無い場合よりも大きいので、ディスク装置から外部へ伝わるような振動、騒音となってしまう。
【００１２】
特に、回転駆動機構１１０、光ピックアップ装置１２０等を支持した状態でのディスク１の重心位置と、ディスク１を回転させるターンテーブル１１１の回転中心位置とが、ずれることを許容せざるを得ない設計となっている。また、最近のディスク装置はディスク１をより高速で回転させて、情報の再生、記録を迅速に行うようにしている。このような状況で、シャーシ全体の重量が増す様に錘を乗せるといった単純な工夫では、ディスク１の回転による振動を確実に防止することが困難となっている。
【００１３】
なお、シャーシ１０５により重い錘を乗せて重量を増加させることも考えられるが、このようにすると輸送時に発生するような落下振動に対して脆弱になってしまうので、好ましくない。また、輸送コスト、環境負荷も増加してしまう。
【００１４】
また、特許文献１にはシャーシの防振手段により支持される支持点（図１における固定部１０６）をディスクの回転水平面内に位置させることが開示されている。
【００１５】
【特許文献１】
特開平１０−１９９２２６号公報
【００１６】
【発明が解決しようとする課題】
しかしながら、特許文献１で開示する技術では、ディスク装置をコンパクト化する点に配慮していない。シャーシに設ける上記固定部の全てをディスクの回転水平面内に位置させると、ディスク装置が大型化してしまい、小型化の要請に反したディスク装置となってしまう。
【００１７】
したがって、本発明は小型化の要請にも対応しつつ、ディスクの回転に伴う振動を効率的に抑制できる構造を備えたディスク装置を提供することを目的とする。
【００１８】
【課題を解決するための手段】
上記目的は請求項１に記載の如く、ディスクを回転する回転駆動機構と、前記ディスクから情報を再生及び／又は前記ディスクに情報を記録するために用いる光学装置と、前記光学装置を移動させる移動機構とを少なくとも含み、これらをシャーシで支持しかつ該シャーシを筐体に固定しているディスク装置であって、前記シャーシは、前記回転駆動機構を間にして、前後に前記筐体に固定するための第１及び第２の固定部を有し、第１固定部は前記ディスクより下方に配置し、第２固定部は前記ディスクよりも高く配置したディスク装置により達成される。
【００１９】
また、上記目的は請求項２に記載のように、ディスクを回転する回転駆動機構と、前記ディスクから情報を再生及び／又は前記ディスクに情報を記録するために用いる光学装置と、前記光学装置を移動させる移動機構とを少なくとも含み、これらをシャーシで支持して該シャーシを筐体に固定すると共に、前記シャーシ上方をトレイでカバーしているディスク装置であって、
前記シャーシは、前記回転駆動機構を間にして、前後に前記筐体に固定するための第１及び第２の固定部を有し、第１固定部は前記ディスクより下方に配置し、第２固定部は前記カバーの一部に切欠部を設けて前記ディスクよりも高く配置したディスク装置によっても達成できる。
【００２０】
請求項１及び２に記載の発明によると、シャーシの第２固定部が前記ディスクよりも高く配置されているので、ディスクの回転により発生した振動を効果的に抑制できる。また、第１固定部はディスクより下方に配置しているので、ディスク装置のコンパクト化への要請にも対応できる。
【００２１】
また、請求項３に記載のように、請求項１又は２に記載のディスク装置において、前記固定部は、シャーシの端部の一部を上方に延在させた腕部の先端にほぼ直角に形成した平板状とし前記腕部の長さを変えることでその高さ位置を規定することできる。本発明によると、腕部の長さを変更するという簡易な調整で、固定部の高さ位置を設定できる。
【００２２】
また、請求項４に記載のように、請求項１から３のいずれかに記載のディスク装置において、前記筐体上にセットされるトップケースを更に備え、該トップケースと前記固定部を前記筐体に固定する取付け部材とに設けた係合手段を介して、前記トップケースを前記固定部上に固定した構造を採用してもよい。そして、請求項５に記載のように、請求項４に記載のディスク装置において、前記係合手段は、前記トップケースと前記取付け部材の頂部との相互に設けた凹凸部とすることができる。また、請求項６に記載のように、請求項５に記載のディスク装置において、前記凸部の先端側に切欠を設けてもよい。
【００２３】
さらに、請求項７に記載のように、請求項１から６のいずれかに記載のディスク装置において、前記固定部が防振用のダンパを介して前記筐体に固定することが望ましい。この場合、さらに確実にディスクの回転に基づく振動を抑制することができる構造となる。
【００２４】
【発明の実施の形態】
以下、図面に基づいて本発明の実施例を説明する。図３及び図４は、実施例のディスク装置について示した図である。図３はディスク装置１０の全体斜視図、図４（Ａ）は図３におけるＳＩ方向から見た内部構成を示した図、また図４（Ｂ）は図４（Ａ）からシャーシを取出して示した図である。ただし、図３では装置内部が確認できるようにトップケースを除いて示し、図４（Ａ）はトップケース３０を取付けた状態を示している。
【００２５】
また、本実施例のディスク装置１０も図１に示した従来装置と同様に、光ピックアップ装置、この光ピックアップ装置を移動させる移動機構及びディスクを回転させる回転駆動機構等を含んでいる。しかし、本ディスク装置１０の構造的な特徴が確認し易いように、図３及び図４ではこれらを省略して示している。
【００２６】
回転駆動機構等を保持するシャーシ２０は、筐体１６内に収納されこの筐体１６の所定位置で固定されている。このシャーシ２０の上を覆うようにトレイ１７が配置されている。シャーシ２０は図示を省略した回転駆動機構（参照符号１１０参照）が存在する部分を間にしてその前後に１対ずつ、計４個の固定部２６−１〜２６−４を有している。これ以後、図３で示したディスク装置１０の下側を前部ＦＲＴ、上側を後部ＲＥＲと称して説明する。
【００２７】
ところで、本装置１０に含まれるシャーシ２０は、従来には無い形状に形成されている。シャーシ２０の形状が確認し易いように、特に図４では（Ａ）で示す全体図からシャーシ２０を取出し、（Ｂ）で示している。シャーシ２０の前部ＦＲＴ側の固定部２６−２、２６−３はディスク面より下の位置に配設されているが、後部ＲＥＲ側の固定部２６−１、２６−４はディスク面より上に出る位置に形成されている。コンパクト化の要請に応える共に、ディスクの回転に伴う振動防止を抑制するという検討結果として、本ディスク装置１０のシャーシ２０はこのように特殊な形状に設計されている。
【００２８】
ディスクの回転に伴うシャーシの振動を抑制するという観点からは、固定部をディスク面と一致させた構造を採用することが好ましい。しかし、ディスク装置全体をコンパクト化するため、現実には固定部をディスク下部に配置した構造を採用しなければならない場が多い。このような点にも配慮して特定されたのが本シャーシ２０の構造である。
【００２９】
本シャーシ２０の前部ＦＲＴ側の固定部２６−２、２６−３は、ディスク下部に位置する。なお、図３では固定部２６−２、２６−３上に設けるダンパ１５−２、１５−３が確認できる。コンパクト化に対応するため、まずＦＲＴ側の固定部をディスク下部に配置している。その一方で、後部ＲＥＲ側の固定部２６−１、２６−４はディスク面より上方に位置させている。このように後部ＲＥＲ側の固定部を高くすることにより、振動防止効果が得られる構造となる。この防振効果については後に図を示して説明する。
【００３０】
シャーシ２０の端部からその一部を上方に延在させた腕部２５−１〜２５−４の先端をほぼ直角に形成した平板状にして、上記固定部２６−１〜２６−４が形成されている。腕部２５の長さを調整することにより、固定部２６−１〜２６−４の高さ位置が設定される。図４（Ｂ）に示すように、後部ＲＥＲ側の固定部２６−１、２６−４を支持する腕部２５−１、２５−４は、前部ＦＲＴ側の固定部２６−２、２６−３を支持する２５−２、２５−３よりもＬＤ分長く形成されている。
【００３１】
図５は、本装置１０で採用しているシャーシ２０が防振効果を有することを説明するために示した模式図である。図５（Ａ）は固定部１０６の全てをディスク下に配置した従来一般的なシャーシ１０５について示している。また、図５（Ｂ）は固定部２６の片側をディスク面より上方に配置した本発明に係るシャーシ２０について示している。
【００３２】
図５（Ａ）に示すシャーシ１０５では、ディスク１の回転に伴って偏心により力ＢＦが発生した場合、図示するようにこの力ＢＦにより固定部１０６がＶＡ方向に上下動するようにシャーシ１０５を振動してしまう。これによりシャーシ１０５上部に支持されているディスク１も左右ぶれてしまう。そのため再生、記録のエラーが発生し易いディスク装置となってしまう。
【００３３】
上記従来装置のシャーシに対し、図５（Ｂ）に示したシャーシ２０では、ディスク１の回転で力ＢＦが発生した場合でも、腕部２５を長く設けたことによりこの部分で上方への力ＵＦとこれを相殺するように作用する下方への反力ＤＦが発生する。本シャーシ２０では、片側の固定部をディスク面より高く配置するという簡単な構造で確実な振動防止効果を得ている。
【００３４】
また、本実施例装置が採用するシャーシ２０は、後部ＲＥＲ側の固定部２６−１、２６−４が上方に位置するので、従来のようにトレイ１７下に隠れなくなる。よって、図３に明示されるように、トレイ１７の一部に切欠部１８を設けて、ＲＥＲ側の固定部２６−１、２６−４を上方に逃がした構造としている。なお、上記固定部２６−１〜２６−４のそれぞれは、従来と同様にダンパ１５−１〜１５−４を介して筐体１６に固定することで防振効果を高めている。各ダンパ１５は、側面を示した図４で確認できるように、板状の固定部２６を間に挟むようにして上下に配置される。
【００３５】
図６（Ａ）は、後部ＲＥＲ側の固定部２６−１の周部を拡大して示した図である。この図では、上側のダンパ１５−１のみが確認できるが、固定部２６−１の下側にも同様にダンパ１５−１が取付けられている。取付け部材となるボス３５により筐体１６側に固定部２６−１が固定されることで、シャーシ２０を筐体側に固定する。従来のシャーシの場合、ボスはシャーシを筐体に固定されるためのみに用いられていた。
【００３６】
しかし、本実施例で採用する構造の場合、後部ＲＥＲ側の固定部２６−１、固定部２６−４は、トレイ１７の位置より上方に位置するようになる。そのために、図４（Ａ）で示すようにトップケース３０と接触する高さ位置に固定部２６−１、固定部２６−４を設けることも可能である。そこで、本実施例のディスク装置では図４（Ａ）に示すようにボス３５上に突起３５ＴＰ（凸部）を設けると共に、トップケース３０にこれを受ける凹部を設けている。これにより固定部２６上にトップケース３０を簡単に固定する構造を実現している。
【００３７】
図４（Ａ）では、トップケース３０の凹部ＢＴにボス３５の突起３５ＴＰが嵌め込まれ、トップケース３０が上部に固定された状態を示している。このように、トップケース３０が簡単に固定できる構造は、後部ＲＥＲ側の固定部２６−１、２６−４を上方に突出させた防振構造の副次的な効果と捉えることができる。
【００３８】
なお、図６（Ｂ）は突起３５ＴＰの部分を拡大して示した図である。突起３５ＴＰの形状としては、図示のように頂部を小さくし凹部に挿入し易くした円柱や角柱を採用することができるが、図６（Ｂ）に示すように挿入側に切欠３６を形成すれば、より円滑に突起３５ＴＰをトップケース３０の凹部ＢＴに挿入できるようになる。
【００３９】
以下さらに、本ディスク装置本体１０に振動が発生したときの影響を考察してみる。図３の右下に示すように、Ｊ，Ｒ，Ｚ方向を設定する。Ｚ方向はディスク装置本体１０の上下方向、Ｒ方向は光ピックアップ装置が移動する方向、Ｊ方向はディスク装置の幅方向である。ディスク装置が振動したときに、特に悪影響を及ぼすのは、ディスク面に対して垂直な、上下方向（Ｚ方向）である。
【００４０】
本願発明者は、図３及び図４で示したディスク装置１０の上下方向（Ｚ方向）での加速度（ｍ／ｓ２）を測定して、本装置１０の構造的な効果を確認した。そのために本発明者はシャーシ２０に上下方向の加速度を検出できるセンサを設置して加速度を測定した。１０回の測定を行い、平均値と標準偏差σを算出した。
この結果を下記表１にまとめた。表１は、実施例のディスク装置１０と従来のディスク装置の加速度データである。なお、両ディスク装置は、保持するユニットや用いるダンパを同一とし、シャーシ形状のみが異なっている。
【００４１】
【表１】
2004185699.tif 000003
【００４２】
上記表１から明らかなように、実施例のディスク装置１０ではシャーシ２０の加速度が平均で５．２７２となり、従来のシャーシで測定された数値６．４２１と比較して、約１８％も加速レベルが低下している。すなわち、本実施例装置ではシャーシ２０の振動が確実に抑制されている。以上のように本実施例のディスク装置１０はシャーシ２０の片側の固定部位置をディスク位置より高い位置に設けるという簡易な改良で、効率よくディスクの回転に基づく振動を抑制できる。
【００４３】
なお、上記実施例では固定部２６を前後１対ずつとしたが、いずれか一方を１個、その逆に３個以上としてもよい。固定部２６の配置は設計に応じて、適宜変更すればよい。また、上記実施例ではボス側に凸部を設け、トップケース側に凹部を設けた例を示したが、凹凸部をこれとは逆に設けてもよい。
【００４４】
以上、本発明の好ましい実施例について詳述したが、本発明は係る特定の実施形態に限定されるものではなく、特許請求の範囲に記載された本発明の要旨の範囲内において、種々の変形・変更が可能である。
【００４５】
【発明の効果】
以上詳述したところから明らかなように、本発明によれば、シャーシの第２固定部がディスクよりも高く配置されているので、ディスクの回転により発生した振動を効果的に抑制できる。また、第１固定部はディスクより下方に配置しているので、ディスク装置のコンパクト化への要請にも対応できる。
【図面の簡単な説明】
【図１】従来のディスク装置について示した図である。
【図２】（Ａ）は従来においてシャーシに載置されていた錘を例示した全体斜視図である。（Ｂ）はディスク装置に錘をセットする様子を側面から示した図である。
【図３】実施例装置の全体斜視図である。
【図４】（Ａ）は図３におけるＳＩ方向から見た内部構成を示した図である。（Ｂ）は図４（Ａ）からシャーシを取出して示した図である。
【図５】実施例装置で採用しているシャーシが防振効果を有することを説明するために示した模式図である。
【図６】（Ａ）は後部側の固定部の周部を拡大して示した図である。（Ｂ）は突起の部分を拡大して示した図である。
【符号の説明】
１          ディスク
１０        ディスク装置
１５        ダンパ
１６        筐体
１７        トレイ
２０        シャーシ
２５        腕部
２６        固定部（２６−２，２６−３  第１固定部、２６−１，２６−４  第２固定部）
３０        トップケース
１００      ディスク装置
１０５      シャーシ
１１０      回転駆動機構
１１１      ターンテーブル
１２０      光ピックアップ装置（光学装置）
１３０      移動機構
【図１】
2004185699.tif 000004
【図２】
2004185699.tif 000005
【図３】
2004185699.tif 000006
【図４】
2004185699.tif 000007
【図５】
2004185699.tif 000008
【図６】
2004185699.tif 000009